(57)【要約】【課題】電力の盗難を防止しつつ、電力供給部と車両とが接続状態から非接続状態にされた場合に再充電の時間的ロスを減らすことができる充電装置を提供すること。【解決手段】蓄電部（１０２）を備える車両（１００）に電力供給部（２０６）を接続し、前記電力供給部（２０６）から前記車両（１００）に電力供給して充電を行う充電装置（２００）において、前記車両（１００）と前記電力供給部（２０６）とが接続状態から非接続状態になったことを検知すると、前記車両（１００）の使用者又は前記充電装置（２００）の管理者に対して前記車両（１００）と前記電力供給部（２０６）とが非接続状態になったことを通知する通知部（２０８）を有する。【選択図】    図１
2009171690.tif 000002
【特許請求の範囲】
【請求項１】
蓄電部を備える車両に電力供給部を接続し、前記電力供給部から前記車両に電力供給して充電を行う充電装置において、
前記車両と前記電力供給部とが接続状態から非接続状態になったことを検知すると、前記車両の使用者又は前記充電装置の管理者に対して前記車両と前記電力供給部とが非接続状態になったことを通知する通知部を有する
ことを特徴とする充電装置。
【請求項２】
請求項１に記載する充電装置において、
使用者特定情報が正常であることを認証する認証部を有し、
前記通知部は、前記認証部が認証を行う際に取得した前記車両の使用者又は前記充電装置の管理者の通知先に対して通知を行う
ことを特徴とする充電装置。
【請求項３】
請求項１又は請求項２に記載する充電装置において、
前記車両に電力を供給する際の電力供給条件を入力する入力部と、
前記電力供給部と前記車両が接続状態から非接続状態になり、再度接続状態になったことを検知すると、前記認証部に前記使用者特定情報の認証を指示し、前記認証部が前記使用者特定情報が正常であることを認証すると、前記入力部に入力された前記電力供給条件で充電を再開する電力供給制御部と、
を有することを特徴とする充電装置。
【請求項４】
請求項１乃至請求項３の何れか１つに記載する充電装置において、
前記認証部は、前記使用者特定情報として、前記電力供給条件を入力した際に入力する暗証番号、又は、クレジットカードの本人特定情報、または、前記車両に搭載されたＥＴＣカードの本人特定情報を用いる
ことを特徴とする充電装置。
【発明の詳細な説明】
【技術分野】
【０００１】
本発明は、蓄電部を備える車両に外部から充電を行う充電装置に関する。
【背景技術】
【０００２】
近年、環境保護の意識が高まり、地球温暖化物質の排出量を少なくできるハイブリッド自動車や電気自動車の使用台数が増加している。ハイブリッド自動車や電気自動車は、蓄電部の充電残量が少なくなると、自動車の動力性能の低下或いは走行不能に至る虞がある。近年、ハイブリッド自動車や電気自動車の使用台数の増加に後押しされ、蓄電部を備える車両に外部から充電を行う充電装置をスタンドや一般家庭の車庫などに設置することが検討されている。
【０００３】
充電装置は、例えば、自動車にコネクタを接続して自動車の蓄電部に充電を行うが、ガソリン自動車に給油する場合と異なり、蓄電部に電力を最適量充電するのに時間（例えば５〜６時間）を要する。そのため、自動車の使用者は、充電開始後、自動車から離れることがある。この場合、自動車の使用者が自動車から離れた隙に、第三者が自動車からコネクタを抜いて自分の自動車の蓄電部に無断で接続し、充電が終わったらコネクタを使用者の自動車に接続し直すことによって、電力を盗難することも考えられる。
【０００４】
これに対し、車両に接続した充電装置のコネクタの抜けを防止する機構を車両に設け、第三者が充電開始後に勝手に充電装置のコネクタを車両から外せないようにすることが考えられる。しかし、この技術では、コネクタの抜け防止機構を備えない車両について電力の盗難を防げない。また、コネクタの抜け防止機構を各自動車に設けると、自動車のコストアップに繋がる。よって、充電装置側に電力盗難対策を設けることが望ましい。
【０００５】
この点、例えば特許文献１では、正常に本人認証を行い充電を開始した後、充電途中で自動車と充電装置のコネクタとが接続状態から非接続状態になったことを検知すると、充電を停止して本人特定情報をリセットする技術を提案している。これによれば、第三者は、他人の自動車から充電装置のコネクタを抜いて自分の自動車に接続しても、本人認証が完了しない限り充電を行うことができず、電力を盗難できない（例えば、特許文献１参照）。
【０００６】
【特許文献１】特開２００７−２２８６９５号公報
【発明の開示】
【発明が解決しようとする課題】
【０００７】
しかしながら、従来の充電装置では、自動車の使用者は、自主的に自動車に戻るまで、コネクタが充電装置から外されて充電が中断されたことを知ることができなかった。よって、自動車の使用者が自動車に戻っても、充電未完了であるために出発できないことがあった。この場合、使用者がコネクタを自動車に接続して充電を再開しても、上述のように充電には時間がかかるため、再充電が終わるまでには時間を要する。従来の充電装置においてこの不具合を回避するためには、自動車の使用者らが頻繁に自動車と電力供給部との接続状態を確認すればよいが、これは現実的でない。このように従来の充電装置は、コネクタが自動車から外れた場合に再充電に時間的ロスを生じさせていた。
【０００８】
本発明は、上記問題点を解決するためになされたものであり、電力の盗難を防止しつつ、電力供給部と車両とが接続状態から非接続状態にされた場合に再充電の時間的ロスを減らすことができる充電装置を提供することを目的とする。
【課題を解決するための手段】
【０００９】
本発明に係る充電装置は、次のような構成を有している。
（１）蓄電部を備える車両に電力供給部を接続し、前記電力供給部から前記車両に電力供給して充電を行う充電装置において、前記車両と前記電力供給部とが接続状態から非接続状態になったことを検知すると、前記車両の使用者又は前記充電装置の管理者に対して前記車両と前記電力供給部とが非接続状態になったことを通知する通知部を有する。
【００１０】
（２）（１）に記載の発明において、使用者特定情報が正常であることを認証する認証部を有し、前記通知部は、前記認証部が認証を行う際に取得した前記車両の使用者又は前記充電装置の管理者の通知先に対して通知を行う。
【００１１】
（３）（１）又は（２）に記載の発明において、前記車両に電力を供給する際の電力供給条件を入力する入力部と、前記電力供給部と前記車両が接続状態から非接続状態になり、再度接続状態になったことを検知すると、前記認証部に前記使用者特定情報の認証を指示し、前記認証部が前記使用者特定情報が正常であることを認証すると、前記入力部に入力された前記電力供給条件で充電を再開する電力供給制御部と、を有する。
【００１２】
（４）（１）乃至（３）の何れか１つに記載の発明において、前記認証部は、前記使用者特定情報として、前記電力供給条件を入力した際に入力する暗証番号、又は、クレジットカードの本人特定情報、または、前記車両に搭載されたＥＴＣカードの本人特定情報を用いる。
【発明の効果】
【００１３】
上記構成を有する充電装置は、電力供給部と車両とが接続状態から非接続状態になったことを検知し、使用者又は管理者に対して車両と電力供給部とが非接続状態になったことを通知する。このような充電装置によれば、電力の盗難を防止しつつ、電力供給部と車両とが接続状態から非接続状態になった場合に再充電の時間的ロスが減らすことができる。
【００１４】
また、充電装置は、電力供給部と車両が再度接続状態にされたことを検知すると、使用者特定情報が正常であるか否かを認証部に認証させ、使用者特定情報が正常であると認証された場合に、入力部に入力された電力供給条件で充電を再開する。このような充電装置によれば、充電を再開するときに電力供給条件を入力部に再入力する必要がなく、使用者や管理者等が充電を再開する際の時間のロスを減らすことができる。
【発明を実施するための最良の形態】
【００１５】
次に、本発明に係る充電装置の一実施形態について図面を参照して説明する。
【００１６】
（第１実施形態）
図１は、本発明の第１実施形態の車両１００及び充電装置２００の構成を示すブロック図である。
車両１００は、車輪１０８と、車輪１０８を駆動するモータ１０６と、モータ１０６に三相交流電力を与えるインバータ１０４と、インバータ１０４に直流電力を供給するメインバッテリ１０２（「蓄電部」の一例）とを含む。すなわち、車両１００は、電気自動車であるが、駆動用にモータとエンジンとを併用するハイブリッド自動車や電気自動二輪など、メインバッテリ１０２に蓄えた電力を動力とするものにも本発明を適用することができる。
【００１７】
車両１００は、メインバッテリ１０２に外部から充電可能な構成を有する。すなわち、車両１００は、さらに、コネクタ１２４と、充電用ＡＣ／ＤＣ変換部１１０と、スイッチ１２２と、コネクタ接続検知部１２０と、通信部１１６と、制御ＥＣＵ１１４とを含む。
【００１８】
コネクタ１２４は、外部からたとえば交流１００Ｖなどの商用電源を与える端子が設けられたものである。充電用ＡＣ／ＤＣ変換部１１０は、コネクタ１２４に与えられた交流電力を直流電力に変換してメインバッテリ１０２に与えるものである。スイッチ１２２は、コネクタ１２４と充電用ＡＣ／ＤＣ変換部１１０とを接続するものである。コネクタ接続検知部１２０は、コネクタ１２４に充電装置２００のコネクタ２０６（「電力供給部」の一例）が接続されたことを検知するものである。通信部１１６は、充電装置２００の通信部２１０との通信を制御するものである。
【００１９】
制御ＥＣＵ１１４は、メインバッテリ１０２のＳＯＣ(State Of Charge)を監視し、かつ、コネクタ接続検知部１２０によってコネクタ接続を検知する。制御ＥＣＵ１１４は、コネクタ１２４に対しコネクタ２０６が接続された場合にＳＯＣが所定値（制御中心）より低いときには、スイッチ１２２をオフからオンに遷移させ、充電用ＡＣ／ＤＣ変換部１１０を動作させてメインバッテリ１０２の充電を行う。
【００２０】
ここで、メインバッテリ１０２は、制御中心近傍のＳＯＣで使用することが望ましい。制御中心は一般に任意の値に設定することが可能である。ＳＯＣが１００％に近いと、車両１００が走行前後で回収した電力をメインバッテリ１０２に蓄えることができず、エネルギー使用効率が下がる。又、メインバッテリ１０２のＳＯＣが低過ぎると（例えば２０％未満）、車両１００が走行開始前後で必要とする電力の供給が十分に行えず、車両１００の動力性能が低下する虞がある。このため電池の充電状態は、メインバッテリ１０２の充電及び放電に余裕のある制御中心近傍で制御されることが好ましい。例えば、メインバッテリ１０２の使用領域がＳＯＣ２０％から９０％の場合、制御中心のＳＯＣを４０％から６０％程度に設定するのが好ましい。尚、メインバッテリ１０２の充電状態は、メインバッテリ１０２の電圧を監視する手段で把握することもできる。
【００２１】
制御ＥＣＵ１１４は、メインバッテリ１０２に対し充電を行う場合には通信部１１６を介して充電装置２００に対して充電の要求を行う。この場合、制御ＥＣＵ１１４は、メインバッテリ１０２のＳＯＣから最適充電量を算出し、最適充電量を指定して充電の要求を行うようにしても良い。または、制御ＥＣＵ１１４から通信部１１６を経由してＳＯＣを充電装置２００側に伝え、充電装置２００側においてＳＯＣに基づいて最適充電量を算出し、充電の開始を決定するようにしてもよい。
【００２２】
充電装置２００は、通信部２１０と、カード認識部２１２と、登録情報データベース２１４と、交流電源２０２と、充電ケーブル２１８と、コネクタ２０６と、車両１００側からＳＯＣや充電要求などの情報を受ける通信部２１０と、スイッチ２０４と、制御ＥＣＵ２０８（「認証部」、「通知部」、「電力供給制御部」の一例）とを含む。
【００２３】
カード認識部２１２は、充電装置２００の使用者を特定するための使用者特定情報が記録されたカード２１６を認識するものである。登録情報データベース２１４は、充電装置２００の使用者特定情報が登録されたものである。コネクタ２０６は、充電ケーブル２１８の端部に設けられたものである。スイッチ２０４は、充電ケーブル２１８に対して交流電源２０２を接続するものである。ＥＣＵ２０８は、スイッチ２０４をオンオフ制御するものである。
【００２４】
登録情報データベース２１４は、充電装置２００の外部に設けられていても良く、充電装置２００が通信を行って外部のデータベースに対して使用者特定情報を照会するのであっても良い。
また、カード２１６は、会員カード、プリペイドカード、クレジットカードなどを含む。
【００２５】
制御ＥＣＵ２０８には、車両に電力を供給する際の電力供給条件（定額充電モード、定量充電モード、フル充電モード）を入力する入力部２２２と、入力部２２２に入力された電力供給条件を記憶する電力供給条件記憶部２２８が接続されている。
【００２６】
制御ＥＣＵ２０８は、通信部２１０で受信されたＳＯＣや充電要求等の情報、入力部２２２に入力された電力供給条件、充電終了指示部２２４に入力された充電終了指示、カード認識部２１２で照会されたカード２１６と登録情報データベース２１４との照合結果に応じてスイッチ２０４をオンオフする。制御ＥＣＵ２０８は、表示部２２６に充電に関する情報（例えば充電可能量、充電完了予定時刻、充電量、充電方法、金額など）を表示する。
【００２７】
制御ＥＣＵ２０８は、車両１００側から充電装置２００側に充電要求があり、カード２１６に基づく使用者特定情報が正規の登録者情報と一致して正常に本人認証できるか確認する。制御ＥＣＵ２０８は、充電要求と正常な本人認証を確認すると、スイッチ２０４をオンして電力供給条件に基づいて充電を開始する。一方、制御ＥＣＵ１１４は充電用ＡＣ／ＤＣ変換部１１０を動作させてメインバッテリ１０２に対する充電を行う。
尚、使用者特定情報には、電力供給条件を入力する際に入力した暗証番号や、プリペイドカードや会員カードに記憶された本人特定情報、クレジットカードの本人特定情報を用いた使用者特定情報などを含む。
【００２８】
制御ＥＣＵ２０８は、電力供給条件を車両１００の通信部１１６に送信する。制御ＥＣＵ１１４は、通信部１１６が受信した電力供給条件に基づいて充電が完了したか否かを判断し、充電が完了したと判断すると、充電用ＡＣ／ＤＣ変換部１１０を停止させスイッチ１２２をオンからオフに変化させる。そして制御ＥＣＵ１１４は、通信部１１６を経由して充電停止を充電装置２００に対して要求する。すると制御ＥＣＵ２０８はスイッチ２０４をオンからオフに変化させる。
【００２９】
充電途中において他人がコネクタ２０６を車両１００から外したり、誤ってコネクタ２０６が車両１００から外れたりすると、充電装置２００は、照合が確認された使用者特定情報をリセットして再度カード２１６の入力待ち状態となる。
【００３０】
すなわち、蓄電部を有する車両に外部から充電を行う充電装置２００は、車両１００に電力を供給するスイッチ２０４と、スイッチ２０４に対して電力の供給開始および供給停止を指示する制御ＥＣＵ２０８とを備える。制御ＥＣＵ２０８は、充電装置２００を使用する使用者を特定する使用者特定情報を取得し、使用者特定情報が正常であることを確認してからスイッチ２０４に対して電力の供給開始を指示する。制御ＥＣＵ２０８は、コネクタ２０６と車両１００が接続状態から非接続状態になったことを検知するとスイッチ２０４に対して電力の供給停止を指示するとともに充電再開のために使用者特定情報の取得を再度行う。
【００３１】
制御ＥＣＵ２０８は、コネクタ２０６と車両１００が接続状態から非接続状態になったことを検知すると、車両１００の使用者又は充電装置２００の管理者が所持する携帯端末装置３００等に通信部２１０をネットワーク４００を介して接続する。そして、制御ＥＣＵ２０８は、コネクタ２０６と車両１００が接続状態から非接続状態になった旨を使用者又は管理者に対して通知する。
【００３２】
制御ＥＣＵ２０８は、使用者特定情報を再取得して使用者特定情報が正常であることを確認し、コネクタ２０６と車両１００が再度接続状態になったことを検知すると、入力部２２２に入力された電力供給条件で充電を行う。
【００３３】
図２は、図１の充電装置が実行する充電処理の処理構造を示したフローチャートである。
先ず、ステップ１（以下「Ｓ１」という。）において、制御ＥＣＵ２０８は、充電装置２００のコネクタ２０６と車両１００のコネクタ１２４との接続を確認したか否かを判断する。この判断は、車両１００においてコネクタ接続検知部１２０で認識された結果を制御ＥＣＵ２０８が通信部２１０を介して取得して行ってもよい。または、突起が押し込まれると導通するスイッチなどの接続がなされたことがわかる接続検知手段をコネクタ２０６に設けておき、これによってコネクタが接続されていることを判断してもよい。制御ＥＣＵ２０８は、接続を確認するまで、待機する（Ｓ１：Ｎｏ）。
【００３４】
次に、制御ＥＣＵ２０８は、接続を確認すると（Ｓ１：Ｙｅｓ）、Ｓ２において、充電可能量を表示部２２６に表示する。制御ＥＣＵ２０８は、通信部２１０が車両１００から受信したＳＯＣに基づいて充電可能量を算出する。
【００３５】
そして、制御ＥＣＵ２０８は、カード認識部２１２に挿入されたカード２１６に基づいて認証を行い、カード認証に問題がないか判断する。つまり、制御ＥＣＵ２０８は、カード認識部２１２がカード２１６から読み取ったＩＤ情報や、カード挿入時に入力された暗証番号、クレジットカードの本人特定情報を使用者特定情報として用い、登録情報データベース２１４に記憶されている使用者特定情報に取得した使用者特定情報を照合する。取得した使用者特定情報（ＩＤ情報や暗証番号、本人特定情報等）が登録情報データベース２１４の使用者特定情報と一致しない場合には、カード認証に問題があると判断し（Ｓ３：Ｎｏ）、処理を終了する。
【００３６】
一方、取得した使用者特定情報が登録情報データベース２１４の使用者特定情報と一致し、カード認証に問題がないと判断した場合には（Ｓ３：Ｙｅｓ）、使用者特定情報が正常であることを判定し、Ｓ４へ進む。Ｓ４では、電力供給条件の一例である定額、定量、フル充電の何れかが、入力部２２２に入力され、選択指示されたか否かを判断する。ここで、「定額」とは指定した料金まで充電する充電モードであり、「定量」とは指定した充電量まで充電する充電モードであり、「フル充電」とは最適充電量まで充電する充電モードである。制御ＥＣＵ２０８は、電力供給条件の入力終了を知らせるボタンなどが押下され、電力供給条件の選択が完了したことを認識するまで（Ｓ５：Ｎｏ）、待機する。
【００３７】
制御ＥＣＵ２０８は、電力供給条件の選択が完了すると（Ｓ５：Ｙｅｓ）、Ｓ６において、選択された電力供給条件（充電モード）で充電を開始する。
【００３８】
次に、制御ＥＣＵ２０８は、Ｓ７において、充電完了前に充電装置２００のコネクタ２０６が車両１００のコネクタ１２４から外れていないか確認する。コネクタ２０６と車両１００との接続状態の確認はＳ１と同様に行う。
【００３９】
充電装置２００のコネクタ２０６が車両１００のコネクタ１２４から外れていない場合には（Ｓ７：Ｙｅｓ）、制御ＥＣＵ２０８は、Ｓ８において、充電が完了したか否かを判断する。制御ＥＣＵ２０８は、車両１００の制御ＥＣＵ１１４が電力供給条件を満たすように充電を完了したときに充電装置２００に要求する充電停止指示を受信したか否かに基づいて、充電が完了したか否かを判断する。
【００４０】
制御ＥＣＵ２０８は、車両１００から充電停止を要求された場合には、充電が完了していないと判断し（Ｓ８：Ｎｏ）、Ｓ７に戻って、充電装置２００のコネクタ２０６と車両１００のコネクタ１２４との接続状態を再確認する。
【００４１】
充電装置２００のコネクタ２０６が車両１００のコネクタ１２４から外されることなく、車両１００から充電停止を要求された場合には、制御ＥＣＵ２０８は、充電が完了したと判断し（Ｓ８：Ｙｅｓ）、Ｓ９において、電力供給条件記憶部２２８をリセットする。そして、制御ＥＣＵ２０８は、Ｓ１０において、充電モードを終了する。つまり、制御ＥＣＵ２０８は、スイッチ２０４をオンからオフに切り替え、車両１００への充電を停止する。また、制御ＥＣＵ１１４も、スイッチ１２２をオンからオフに切り替え、メインバッテリ１０２への充電を停止する。その後、制御ＥＣＵ２０８は処理を終了する。
【００４２】
これに対して、車両１００から充電停止の要求を受ける前に、充電装置２００のコネクタ２０６が車両１００のコネクタ１２４から外された場合には（Ｓ７：Ｎｏ）、制御ＥＣＵ２０８は、Ｓ１１において、スイッチ２０４をオンからオフに切り替える。これにより、充電モードが中断される。
【００４３】
次に、制御ＥＣＵ２０８は、Ｓ１２において、充電終了指示部２２４に充電終了指示が入力されたか否かを判断する。例えば、充電完了予定時刻前に急用で車両１００を使用したい場合や、表示部２２６に表示されている金額が予算を超える場合等には、使用者は、充電終了指示部２２４に充電終了指示を入力して、充電を強制終了させることができる。このように充電終了指示部２２４に充電終了指示が入力された場合には（Ｓ１２：Ｙｅｓ）、Ｓ９において、電力供給条件記憶部２２８をリセットする。そして、制御ＥＣＵ２０８は、Ｓ１０において充電モードを終了した後、処理を終了する。
【００４４】
一方、充電終了指示部２２４に充電終了指示が入力されていない場合には（Ｓ１２：Ｎｏ）、制御ＥＣＵ２０８は、Ｓ１３において、通知を行う。つまり、制御ＥＣＵ２０８は、使用者又は管理者が所持する携帯端末装置３００に対して通信部２１０からネットワーク４００を介して、コネクタ２０６，１２４が接続状態から非接続状態にされたことを通知する。ここで、接続状態から非接続状態になったことを通知する通知先は、別途設定により任意の第三者へと変更することが可能である。
【００４５】
次に、制御ＥＣＵ２０８は、Ｓ１４において、充電装置２００のコネクタ２０６が車両１００のコネクタ１２４に再接続されたか否かを判断する。再接続は、制御ＥＣＵ２０８は、Ｓ１と同様にして判断される。再接続されないと判断した場合には（Ｓ１４：Ｎｏ）、Ｓ１５において、一定時間が経過したか否かを判断する。ここで、「一定時間」は、使用者又は管理者が通知を受けてからコネクタ２０６を車両１００に再接続するまでの許容時間とする。一定時間を越えてもコネクタ２０６を車両１００に再接続しない場合には、使用者又は管理者に再充電の意思がないか、使用者又は管理者が充電終了指示部２２４に充電終了指示を入力し忘れたと考えられるからである。一定時間が経過するまでは（Ｓ１５：Ｎｏ）、Ｓ１４に戻り、再接続されたか否かを監視する。
【００４６】
コネクタ２０６が車両１００のコネクタ１２４に再接続されないまま一定時間が経過した場合には（Ｓ１５：Ｙｅｓ）、制御ＥＣＵ２０８は、Ｓ９において電力供給条件記憶部２２８をリセットした後、Ｓ１０において充電モードを終了し、処理を終了する。
【００４７】
これに対して、制御ＥＣＵ２０８は、コネクタ２０６が車両１００のコネクタ１２４に再接続されたことを確認すると（Ｓ１４：Ｙｅｓ）、Ｓ１６において、カード認識部２１２に挿入されたカード２１６の再認証に問題があるか判断する。カード再認証のステップは、Ｓ３と同様に行う。
【００４８】
例えば、第三者が、充電装置２００のコネクタ２０６を車両１００から外し、自分の車両に無断で接続したり、或いは、コネクタ２０６を自分の車両に無断で接続した後に偽造カードをカード認識部２１２に挿入したとする。この場合、制御ＥＣＵ２０８は、使用者特定情報を正常に認証できないため、カード再認証に問題があると判断して（Ｓ１６：Ｎｏ）、Ｓ１４に戻る。
【００４９】
このように、充電途中でコネクタ２０６が外され他人が他の車に充電を行おうとしたとしても、使用者特定情報の再度の入力が必要になるため、他の車に充電された電力分が課金されることが無くなり、電力の盗難を防止できる。
【００５０】
これに対して、例えば、使用者又は管理者が、カード２１６をカード認識部２１２に挿入し、制御ＥＣＵ２０８がカード再認証に問題がないと判断した場合には（Ｓ１６：Ｙｅｓ）、制御ＥＣＵ２０８は、Ｓ１７において、充電モードを再開する。充電モードの再開は、制御ＥＣＵ２０８が、スイッチ２０４をオフからオンに切り替えると共に、電力供給条件記憶部２２８に記憶されている電力供給条件を車両１００に送信することにより行う。車両１００は、充電装置２００から新たに受信した電力供給条件が充電中断前に受信した電力供給条件と同じであるため、充電中断前と同じ内容の電力供給条件で充電を行う。
【００５１】
その後、制御ＥＣＵ２０８は、Ｓ７に戻り、充電装置２００のコネクタ２０６と車両１００のコネクタ１２４との接続状態を監視しながら充電を行う。Ｓ７以降の処理は、上述した通りであるので、説明を省略する。
【００５２】
ここで、制御ＥＣＵ２０８は、第三者が充電の再開に失敗したときに（Ｓ１６：Ｎｏ）、充電モードを直ちに終了させていない。そのため、制御ＥＣＵ２０８は、充電再開に失敗した場合でも、使用者や管理者らが一定時間内にコネクタ２０６を車両１００のコネクタ１２４に接続してカード再認証に問題がなければ、電力要求条件入力部２２２に電力供給条件を再入力させずに充電を再開できる。
【００５３】
尚、制御ＥＣＵ２０８は、図２に示す処理を終了すると、車両１００への充電量を内部又は外部に設けた課金装置（図示せず）に送信し、使用した電力について課金する。
【００５４】
次に、上記充電装置２００の作用効果について説明する。
使用者又は管理者（例えば充電スタンドの店員）は、充電装置２００のコネクタ２０６を車両１００のコネクタ１２４に接続し、入力部２２２に電力供給条件を入力する。充電装置２００は、制御ＥＣＵ２０８が入力された暗証番号や、クレジットカードの本人特定情報を用いた使用者特定情報が正常であることを認証すると、コネクタ２０６から車両１００に電力を供給して充電を開始する。充電には長時間を要するため、使用者は充電が開始されたことを確認するとカード２１６を持って車両から離れる場合がある。その際、例えば第三者が充電装置２００のコネクタ２０６を車両１００から外したり、動物や人間等により偶然にコネクタ２０６が車両１００から外れることがある。この場合、制御ＥＣＵ２０８は、コネクタ２０６と車両１００とが接続状態から非接続状態になったことを検知し、使用者又は管理者に対して車両１００とコネクタ２０６とが非接続状態になったことを通知する。通知を受けた使用者又は管理者は、自分が車両１００へ行くか或いは他人に頼んで車両１００へ行かせ、コネクタ２０６を車両１００に再接続して充電を再開させる。
【００５５】
このように、使用者又は管理者は、充電装置から離れた場所にいても、通知によってコネクタ２０６が車両１００から外されたことを知り、コネクタ２０６を車両１００に再接続する。そのため、第三者は、充電中のコネクタ２０６を車両１００から抜くと使用者又は管理者が車両１００へ来ることを恐れ、電力を盗難しにくい。また、充電装置２００は、使用者が早期に充電を再開するので、走行に十分な動力性能を得るようにメインバッテリ１０２に充電することが可能である。よって、第１実施形態の充電装置２００は、電力の盗難を防止しつつ、コネクタ２０６と車両１００とが接続状態から非接続状態になった場合に再充電の時間的ロスが減らすことができる。
【００５６】
また、例えば、１台の車両１００を複数人が共有する場合でも、充電装置２００は、制御ＥＣＵ２０８が認証を行う際に取得した使用者又は管理者の通知先に対して車両１００とコネクタ２０６が非接続状態になった旨の通知を行う。これにより、充電を完了させる責任の所在が明確になるので、次の車両使用者が充電不足により被る不具合を回避できる。
また、例えばカード２１６がクレジットカードであり、制御ＥＣＵ２０８が使用者特定情報としてクレジットカード２１６の本人特定情報を用いるとする。この場合、当該クレジットカードに使用者又は管理者の通知先を記憶させ、制御ＥＣＵ２０８がカード認証する際にカード２１６から通知先を取得するようにすることが好ましい。これによれば、充電装置２００は、使用者や管理者の通知先をメモリに記憶して管理する必要がなく、個人情報を保護できる。
【００５７】
充電装置２００は、コネクタ２０６と車両１００が再度接続状態にされたことを検知すると、使用者特定情報が正常であるか否かを制御ＥＣＵ２０８に認証させる。充電装置２００は、制御ＥＣＵ２０８が使用者特定情報が正常であると認証すると、入力部２２２に入力された電力供給条件で充電を再開する。よって、充電装置２００によれば、充電を再開するときに電力供給条件を入力部２２２に再入力する必要がなく、車両１００の使用者や充電装置２００の管理者等が充電を再開する際の時間のロスを減らすことができる。
【００５８】
（第２実施形態）
続いて、本発明の第２実施形態について図面を参照して説明する。図３は、本発明の第２実施形態の車両１００Ａ及び充電装置２００Ａの構成を示すブロック図である。
第２実施形態の車両１００Ａと充電装置２００Ａは、使用者特定情報の認証方法及びコネクタ２０６と車両１００Ａとの非接続状態の通知方法が、第１実施形態と相違する。よって、ここでは、第１実施形態と相違する点を中心に説明し、共通する点は図面に第１実施形態と同一符号を使用し、適宜説明を省略する。
【００５９】
第２実施形態の充電装置２００Ａは、車両１００Ａに使用者特定情報を取得させる。すなわち、車両１００Ａは、制御ＥＣＵ１１４ＡにＥＴＣカード認識部１３２が接続し、ＥＴＣカード認識部１３２がＥＴＣカード１３４から取得したＩＤ（本人特定情報）を制御ＥＣＵ１１４Ａが充電装置２００Ａに送信する。
【００６０】
充電装置２００Ａは、インターネットなどのネットワーク４００を介して管理装置５００に通信可能に接続され、充電システムを構築している。管理装置５００には、複数の充電装置２００Ａが接続されている。管理装置５００は、使用者特定情報を記憶する登録情報データベース５０４と、登録情報データベース５０４に登録された使用者別に通知先を記憶する通知先記憶部５０２とを備え、通知先と使用者特定情報を一括管理している。
【００６１】
制御ＥＣＵ２０８Ａは、車両１００からＥＴＣカード１３４のＩＤを取得すると、通信部２１０Ａをネットワーク４００を介して管理装置５００に接続して登録情報データベース５０４に取得したＩＤと一致する使用者特定情報があるか問い合わせる。制御ＥＣＵ２０８Ａは、登録情報データベース５０４に取得したＩＤと一致する使用者特定情報があることを確認できた場合には、ＩＤを正常に認証できたと判断する。
【００６２】
制御ＥＣＵ２０８Ａは、コネクタ２０６が車両１００Ａのコネクタ１２４に接続されると共に通信部２１０Ａを介して車両１００ＡからＩＤを取得すると、取得したＩＤを登録情報データベース２１４に照合する。そして、制御ＥＣＵ２０８Ａは、ＩＤを正常に認証すると、充電を開始する。
【００６３】
制御ＥＣＵ２０８Ａは、制御ＥＣＵ１１４ＡがＥＴＣカード認識部１３２を介してＥＴＣカード１３４から取得した通知先を車両１００から取得している。制御ＥＣＵ２０８Ａは、コネクタ２０６と車両１００Ａが接続状態から非接続状態になったことを検知すると、ネットワーク４００を介して通信部２１０Ａから管理装置５００にＩＤと非接続情報とを送信する。管理装置５００は、充電装置２００Ａから受信したＩＤに対応する通知先を通知先記憶部５０２から検索し、検索した通知先（携帯端末装置３００の番号やメールアドレスなど）にコネクタ２０６と車両１００Ａが非接続状態になったことを知らせる通知を行う。
【００６４】
制御ＥＣＵ２０８Ａは、コネクタ２０６が車両１００Ａに再接続されると、スイッチ２０４をオフからオンに遷移させる。車両１００Ａは、充電開始時に充電装置２００Ａから受信した電力供給条件に従って充電装置２００Ａから電力の供給を受ける。そのため、車両１００Ａは、充電中断前と同じ電力供給条件で充電を再開する。
【００６５】
このように、第２実施形態の充電装置２００Ａは、管理装置５００が連絡先や使用者特定情報を一括管理する。そのため、充電装置２００Ａは、使用者特定情報を登録情報データベース５０２に登録すれば、使用者は別の場所に設置された充電装置を利用して車両１００Ａに充電することができる。
また、管理装置５００に通知先や使用者特定情報を一括管理するので、個人情報が盗難されにくい。
【００６６】
尚、本発明の実施形態について説明したが、本発明は、上記実施形態に限定されることなく、色々な応用が可能である。
例えば、上記実施形態では、クレジットカード、ＥＴＣカード、プリペイドカード、会員カードなどのカードに記憶した使用者特定情報を認証部が認証した。これに対して、使用者特定情報を記憶するＩＣタグを車両に取り付け、充電装置に乗り付けた車両のＩＣタグと認証部が無線交信して認証を行うようにしても良い。この場合には、ＩＣタグが記憶する車両情報を使用者特定情報に用いても良い。
例えば、ＥＴＣカード１３４に通知先を記憶させておき、充電中にコネクタ１２６が車両１００Ａから外されたときに、制御ＥＣＵ２０８Ａが車両１００からＥＴＣカード１３４に記憶された連絡先を取得し、取得した連絡先に通知を行うようにしても良い。
【図面の簡単な説明】
【００６７】
【図１】本発明の第１実施形態の車両及び充電装置の構成を示すブロック図である。
【図２】図１の充電装置が実行する充電処理の処理構造を示したフローチャートである。
【図３】本発明の第２実施形態の車両及び充電装置の構成を示すブロック図である。
【符号の説明】
【００６８】
１００，１００Ａ  車両
１０２  メインバッテリ（蓄電部）
２００，２００Ａ  充電装置
２０８，２０８Ａ  制御ＥＣＵ（認証部、通知部、電力供給制御部）
２２２  入力部
２１６  カード
１３４  ＥＴＣカード
【図１】
2009171690.tif 000003
【図２】
2009171690.tif 000004
【図３】
2009171690.tif 000005